(57)【要約】１つ以上の物品（９０）を保管及び展示するためのエンクロージャを画定する１つ以上の壁（１２、１４、１６）及びベース（１８）を備える容器（１０）。係止タブ（２２）が各側壁（１６）内に画定され、対応する係止スロット（２６）がベース（１８）内に画定される。係止タブ（２２）は、それぞれアンダーカット（２２ｃ）を画定する。容器（１０）は、更なる容器の係止タブ（２２）を係止スロット（２６）に挿入して、容器を前方に摺動させてベース（１８）をアンダーカット内に係合させることにより、更なる容器（１０）の上部に取り付けられてモジュール式展示装置を形成することができる。モジュール式展示装置（３４、図３）はまた、水平面上で角度をなして１つ以上の容器を支持するためのスタンドと、ヘッダと、を含むことができる。
2019526508.tif 000002
【特許請求の範囲】
【請求項１】
折り畳み可能な材料のブランクから構築され、他の同様の容器と共に段積みされてモジュール式展示装置を形成するように適合された容器であって、前記容器はベースと、前記ベースから上方に延在する一対の対向する側壁と、前記対向する側壁の間で前記ベースから上方に延在する対向する前後壁と、を備え、前記ベース及び前記壁は、１つ以上の物品を保管及び展示するためのエンクロージャと、各側壁内に画定される係止タブと、前記ベース内に画定される一対の対応する係止スロットと、を画定し、前記係止タブ及び係止スロットは、使用時に、第２の容器の前記係止タブを第１の容器の前記対応する係止スロットに挿入することによって前記第１の容器が前記第２の容器上に着脱自在に取り付け可能となるように構成されており、各突出するタブはネック部分と本体部分とを備え、前記本体部分が前記ネック部分に張り出してアンダーカットを画定している、容器。
【請求項２】
前記アンダーカットは後方に開口している、請求項１に記載の容器。
【請求項３】
各係止タブは対応する側壁の後方端部で画定される、請求項１又は２に記載の容器。
【請求項４】
前記対応する係止スロットは、それぞれの対応する係止タブから前方にオフセットされた位置で前記ベース内に画定されており、その結果、使用時に、第１の容器が第２の容器に取り付けられると、上の前記第１の容器の前記前壁は、下の前記第２の容器の前記前壁から後方へとオフセットされる、請求項１〜３のいずれか一項に記載の容器。
【請求項５】
前記係止タブ及び係止スロットは、使用時に、第１の容器が第２の容器の上部に取り付け可能となり、前記第２の容器の前記係止タブのそれぞれの前記本体部分が前記第１の容器の対応する係止スロットを通して挿入され、前記第１の容器の前記ベースが前記アンダーカットと係合するように構成されている、請求項１〜４のいずれか一項に記載の容器。
【請求項６】
第１の凹部が前記対向する側壁のそれぞれの上縁部内に画定されており、各第１の凹部は、対応する係止タブの前縁部から前方に前記側壁の残りの長さの一部にわたって延在する、請求項１〜５のいずれか一項に記載の容器。
【請求項７】
前記容器は、使用時に、第１の容器が第２の容器の上部に取り付けられると、前記係止スロットの前縁部と前記前壁との間にある前記第１の容器の前記ベースの領域が、前記第２の容器の前記第１の凹部に受容されるように構成されている、請求項６に記載の容器。
【請求項８】
各第１の凹部は、前記係止スロットの前端と前記前壁との間の距離よりも長い、請求項６又は７に記載の容器。
【請求項９】
前記対向する側壁はそれぞれ内側パネル及び外側パネルを備え、前記内側パネルは前記パネルの下縁部領域内に前記係止スロットのうちの対応する１つと位置合わせされた第２の凹部を画定し、前記第２の凹部は、使用時に係止タブを前記係止スロットに挿入して、前記容器を更なる容器に取り付けたとき、前記更なる容器の前記係止タブの少なくとも本体部分を受容するように構成されている、請求項１〜８のいずれか一項に記載の容器。
【請求項１０】
請求項１〜９のいずれか一項に記載の容器を製造するためのブランクであって、
第１の側壁部及び第２の側壁部であって、各側壁部の後縁部は係止タブを画定するように形状決めされる、第１の側壁部及び第２の側壁部と、
前壁パネル及び後壁パネルと、
対向する端縁部の第１のセットに沿った折り目線によって前記前後パネルに連結され、かつ対向する側縁部の第２のセットに沿った折り目線によって前記第１の側壁部及び前記第２の側壁部に連結されるベースパネルであって、前記ベースは、対応する側縁部に沿って位置する一対の対向する係止スロット開口部を備える、ベースパネルと、を備える、ブランク。
【請求項１１】
各側壁部は、１つ以上の折り目線によって分離された内側壁パネル及び外側壁パネルを備え、各側壁部の前記内側壁パネル及び前記外側壁パネルの後縁部は、前記ブランクが折り畳まれて容器を形成すると係止タブを画定するように形状決めされている、請求項１０に記載のブランク。
【請求項１２】
前記前壁パネル及び前記後壁パネルはそれぞれ折り目線によっていずれかの側縁部と連結された固定フラップを有し、前記固定フラップは、前記ブランクが折り畳まれて容器を形成すると、対応する側壁の前記内側壁パネルと前記外側壁パネルとの間に挿入されるように構成されている、請求項１１に記載のブランク。
【請求項１３】
前記後壁パネルに連結された前記固定フラップはそれぞれ、前記ブランクが折り畳まれて容器を形成すると、対応する側壁部の前記内側壁パネル及び前記外側壁パネルと共に係止タブを画定するように、後縁部に沿って形状決めされている、請求項１２に記載のブランク。
【請求項１４】
請求項１〜９のいずれか一項に記載の少なくとも１つの容器を備える、モジュール式展示装置。
【請求項１５】
前記展示装置は、上下に取り付けてスタックを形成することが可能な請求項１〜９のいずれか一項に記載の２つ以上の容器を備え、前記容器は、各対の下の容器の前記係止タブを、各対の上の容器の対応する前記係止スロットに挿入し、各対の前記上の容器の前記ベースが、各対の前記下の容器の前記係止タブ内に画定された前記アンダーカットに係合することにより、隣接する対で連結して前記スタックを形成することが可能である、請求項１４に記載のモジュール式展示装置。
【請求項１６】
前記モジュール式展示装置は、前記少なくとも１つの容器を取り付けることのできるスタンドを備え、前記スタンドは折り畳み可能な材料のブランクから作製され、かつ折り目線に沿って後壁の対向する側縁部に連結される一対の側壁を備え、前記側壁は、前記後壁から前縁部に向けて下方に傾斜した上面を有し、係止タブが、前記少なくとも１つの容器の対応する係止スロットに挿入されるために各側壁の前記上面から突出している、請求項１４又は１５に記載のモジュール式展示装置。
【請求項１７】
前記スタンド上の前記係止タブは、それぞれネック部分と、前記ネック部分に張り出してアンダーカットを画定する本体部分と、を含み、前記少なくとも１つの容器の前記ベースは前記アンダーカット内に係合可能である、請求項１６に記載のモジュール式展示装置。
【請求項１８】
前記展示装置は前記少なくとも１つの容器に取り付け可能なヘッダを備える、請求項１４〜１７のいずれか一項に記載のモジュール式展示装置。
【請求項１９】
請求項１４〜１８のいずれか一項に記載のモジュール式展示装置から展示装置を形成する方法であって、前記方法は、少なくとも２つの容器を上下に着脱自在に取り付けてスタックを形成することを含み、前記スタックの各隣接する対の容器のうち第１の容器は、第２の容器の各係止タブを前記第１の容器の対応する係止スロットを通して挿入することにより各隣接する対の前記第２の容器の上部に取り付けられ、前記第１の容器の前記ベースは前記第２の容器の前記係止タブによって画定される前記アンダーカットに係合する、方法。
【請求項２０】
前記モジュール式展示装置は請求項１６に記載のスタンドを備え、前記方法は、前記スタンドの各係止タブを最下段の容器の対応する係止スロット内に挿入することにより前記スタックの前記最下段の容器を前記スタンドに取り付けることを更に含み、前記最下段の容器の前記ベースは前記スタンドの前記係止タブによって画定される前記アンダーカットに係合する、請求項１９に記載の方法。
【発明の詳細な説明】
【技術分野】
【０００１】
本発明は、容器、特にモジュール式展示装置を形成するために使用され得る容器に関する。本発明は、具体的には、その内部に置かれる物品を展示するために互いの上に積み重ねることが可能な容器に関する。本発明はまた、少なくとも１つのこうした容器を備えるモジュール式展示装置を形成する方法、モジュール式展示装置、及びブランクにも関する。
【背景技術】
【０００２】
菓子物品などのために、互いの上部に位置決めされた一連の区画から形成される展示ユニットを提供することは既に知られている。一部の例では、これらの区画は、典型的には金属又はプラスチック材料から構築される支持構造体によって定位置に保持され得る。しかし、このようなユニットを構築するのは比較的高価であり、一般的には更なる包装内に保管される物品を補充する必要がある。
【０００３】
これらの問題を克服するために、追加の展示ユニットを必要とすることなく物品を輸送、保管、及び続いて展示するのに用いることができる「シェルフレディパッケージング」（「ＳＲＰ」）中で物品を提供することが知られている。更に、ＳＲＰは典型的にはカートン用板紙などから構築されるため、製造コストを低減させる。このタイプのＳＲＰは一般的に、ベースと、包装材料のミシン目に沿って引き裂かれてベースから取り外し可能なカバーと、を含む。カバーは、取り外すと、展示ユニットを形成するためにその上にベースを配置することが可能なスタンドとして使用することができる。更に、カバーを取り外すことにより、ベースに開口部が設けられて、その内部に置かれる物品を展示する。
【０００４】
ＳＲＰのいくつかの例では、カバーは、ベースを置く傾斜面を備えることができる。このように、ベースがカバー上に配置されると、ベースは、展示部内に置かれる物品を潜在顧客に対してより良好に展示するように水平軸に対して角度をなす。しかし、このタイプのＳＲＰは、形成された展示ユニットがカバー表面の傾斜によって定められた角度構成に限定されるという点で不十分である。
【０００５】
更に、展示ユニット内で容器を位置決めする角度を大きくすると、安定性の問題が更に生じて、容器が物品と共に備蓄されたときにトップヘビーとなって倒れやすくなる場合があり、又は上の容器が下の容器から滑り落ちる場合がある。したがって、容器を傾けた角度で十分に安定性があることが、段積み容器を備えるあらゆる展示ユニットに対する必要条件である。傾斜が変化する場合には、段積み容器は角度範囲で十分に安定していなければならない。しかし、この問題に対処する解決は未だ提供されていない。
【０００６】
したがって、本発明の実施形態は、先行技術に伴う問題、又は垂直に段積み可能な包装容器の任意の他の問題を克服又は少なくとも部分的に軽減することを目的とする。
【発明の概要】
【課題を解決するための手段】
【０００７】
本発明の第１の態様によれば、折り畳み可能な材料のブランクから構築され、他の同様の容器と共に段積みされてモジュール式展示部を形成するように適合された容器が提供され、容器は、ベースと、ベースから上方に延在する一対の対向する側壁と、対向する側壁の間でベースから上方に延在する対向する前後壁と、を備え、ベース及び壁は、１つ以上の物品を保管及び展示するためのエンクロージャと、各側壁内に画定される係止タブと、ベース内に画定される一対の対応する係止スロットと、を画定し、係止タブ及び係止スロットは、使用時に、第２の容器の係止タブを第１の容器の対応する係止スロットに挿入することによって第１の容器が第２の容器上に着脱自在に取り付け可能となるように構成されており、各突出するタブはネック部分と本体部分とを備え、本体部分がネック部分に張り出してアンダーカットを画定している。
【０００８】
一実施形態では、アンダーカットは後方に開口している。
【０００９】
一実施形態では、各係止タブはその対応する側壁の後方端部で画定される。
【００１０】
一実施形態では、対応する係止スロットは、それぞれの対応する係止タブから前方にオフセットされた位置でベース内に画定されており、その結果、使用時に、第１の容器が第２の容器に取り付けられると、上の第１の容器の前壁は、下の第２の容器の前壁から後方へとオフセットされる。
【００１１】
一実施形態では、係止タブ及び係止スロットは、使用時に、第１の容器が第２の容器の上部に取り付け可能となり、第２の容器の係止タブのそれぞれの本体部分が第１の容器の対応する係止スロットを通して挿入され、第１の容器のベースがアンダーカットと係合するように構成される。
【００１２】
一実施形態では、第１の凹部が対向する側壁のそれぞれの上縁部内に画定されており、各第１の凹部は、対応する係止タブの前縁部から前方に側壁の残りの長さの一部にわたって延在する。一実施形態では、容器は、使用時に、第１の容器が第２の容器の上部に取り付けられると、係止スロットの前縁部と前壁との間にある第１の容器のベースの領域が、第２の容器の第１の凹部に受容されるように構成されている。一実施形態では、各第１の凹部は、係止スロットの前端と前壁との間の距離よりも長い。
【００１３】
一実施形態では、ベースは平面状であり、対向する側壁の最上縁部はベースの平面と平行である。
【００１４】
一実施形態では、対向する側壁はそれぞれ内側パネル及び外側パネルを備え、内側パネルはパネルの下縁部領域内に係止スロットのうちの対応する１つと位置合わせされた第２の凹部を画定し、第２の凹部は、使用時に係止タブを係止スロットに挿入して、容器を更なる容器に取り付けたとき、上記の更なる容器の係止タブの少なくとも本体部分を受容するように構成されている。
【００１５】
本発明の第２の態様によれば、第１の態様に従う容器を製造するためのブランクが提供され、ブランクは、
第１及び第２の側壁部であって、各側壁部の後縁部は、完成した容器内で係止タブを画定するように形状決めされる、第１の側壁部及び第２の側壁部と、
前壁パネル及び後壁パネルと、
対向する端縁部の第１のセットに沿った折り目線によって前後パネルに連結され、かつ対向する側縁部の第２のセットに沿った折り目線によって第１の側壁部及び第２の側壁部に連結されるベースパネルであって、ベースは、対応する側縁部に沿って位置する一対の対向する係止スロット開口部を備える、ベースパネルと、を備える。
【００１６】
一実施形態では、各側壁部は、１つ以上の折り目線によって分離された内側壁パネル及び外側壁パネルを備え、各側壁部の内側パネル及び外側パネルの後縁部は、ブランクが折り畳まれて容器を形成すると係止タブを画定するように形状決めされている。一実施形態では、前壁パネル及び後壁パネルはそれぞれ折り目線によっていずれかの側縁部と連結された固定フラップを有し、固定フラップは、ブランクが折り畳まれて容器を形成すると、対応する側壁の内及び外側壁パネルの間に挿入されるように構成されている。一実施形態では、後壁パネルに連結された固定フラップはそれぞれ、ブランクが折り畳まれて容器を形成すると、これらの対応する側壁部の内側壁パネル及び外側壁パネルと共に係止タブを画定するように、後縁部に沿って形状決めされている。一実施形態では、各側壁部は、その長さの一部にわたって内及び外側壁パネルに跨る開口部を画定し、ブランクが折り畳まれて容器を形成すると、開口部は係止タブの前縁部、及び対応する側壁の上縁部内に第１の凹部を画定する。
【００１７】
本発明の第３の態様によれば、本発明の第１の態様に従う少なくとも１つの容器を備えるモジュール式展示装置が提供される。
【００１８】
一実施形態では、モジュール式展示装置は、上下に取り付けてスタックを形成することが可能な本発明の第１の態様に従う２つ以上の容器を備え、容器は、各対の下の容器の係止タブを各対の上の容器の対応する係止スロットに挿入し、各対の上の容器のベースが、各対の下の容器の係止タブ内に画定されたアンダーカットに係合することにより、隣接する対で連結してスタックを形成することが可能である。
【００１９】
一実施形態では、モジュール式展示装置は、少なくとも１つの容器を取り付けることのできるスタンド又はベースを備え、スタンドは折り畳み可能な材料のブランクから作製され、かつ折り目線に沿って後壁の対向する側縁部に連結される一対の側壁を備え、側壁は、後壁から前縁部に向けて下方に傾斜した上面を有し、係止タブが、少なくとも１つの容器の対応する係止スロットに挿入されるために各側壁の上面から突出している。
【００２０】
一実施形態では、スタンド上の係止タブは、それぞれネック部分と、ネック部分に張り出してアンダーカットを画定する本体部分と、を含み、少なくとも１つの容器のベースはアンダーカット内に係合可能である。
【００２１】
２つ以上の容器がスタック状に配置された実施形態では、スタック内の最下段の容器は、スタンドに取り付け可能である。
【００２２】
一実施形態では、展示装置は少なくとも１つの容器に取り付け可能なヘッダを備える。一実施形態では、ヘッダは、折り畳み可能な材料のブランクから形成される。
【００２３】
一実施形態において、ヘッダは、ヘッダが取り付けられる容器のベースの平面と平行に延在するように構成された実質的に平面状の展示面を有する。
【００２４】
２つ以上の容器がスタック状に配置された実施形態では、ヘッダは、スタック内の最上段の容器に取り付け可能である。
【００２５】
本発明の第４の態様によれば、第３の態様に従うモジュール式展示装置から展示装置を形成するための方法が提供され、方法は、少なくとも２つの容器を上下に着脱自在に取り付けてスタックを形成することを含み、スタック内の各隣接する対の容器のうち第１の容器は、第２の容器の各係止タブを第１の容器の対応する係止スロットを通して挿入することにより各隣接する対の第２の容器の上部に取り付けられ、第１の容器のベースは第２の容器の係止タブによって画定されるアンダーカットに係合する。
【００２６】
モジュール式展示装置がスタンドを備える一実施形態では、方法は、スタンドの各係止タブを最下段の容器の対応する係止スロットに挿入することによりスタック内の最下段の容器をスタンドに取り付けることを含み、最下段の容器のベースはスタンドの係止タブによって画定されるアンダーカットに係合する。
【００２７】
モジュール式展示装置がヘッダを含む一実施形態では、方法は、スタック内の最上段の容器にヘッダを取り付けることを含む。
【００２８】
本発明の上記の態様のいずれにおいても、容器はその内部に置かれる１つ以上の物品を備えることができ、物品は、ガム若しくはキャンディなどの菓子物品、ビスケット若しくはチーズなどのスナック製品を含む食品又は飲料、又は展示に好適な任意の物品であってよい。
【図面の簡単な説明】
【００２９】
本発明がより明確に理解され得るようにするために、ここで、その実施形態が添付の図面を参照してほんの一例として記載される。
【図１】本発明の一態様による容器の実施形態の斜視図である。
【図２】更なる容器に取り付けられた、図１に示される容器の更なる斜視図である。
【図３】本発明の一態様によるモジュール式展示装置の一実施形態の斜視図である。
【図４】図３のモジュール式展示装置のヘッダ形成部の一実施形態の斜視図である。
【図５】図３のモジュール式展示装置のスタンド形成部の一実施形態の斜視図である。
【図６】図１の容器を形成するための、本発明の一態様によるブランクの一実施形態の平面図である。
【図７】図５のスタンドを形成するためのブランクの平面図である。
【図８】図４のヘッダを形成するためのブランクの平面図である。
【発明を実施するための形態】
【００３０】
本発明の一態様による、容器１０の一実施形態を図１に示す。容器１０は、前壁１２、後壁１４、一対の対向する側壁１６、及びベース（又は底部）１８を有する。壁１２、１４、１６、及びベース１８は、使用時に１つ以上の物品を収容する実質的に立方形のエンクロージャを画定する。
【００３１】
各側壁１６の上端領域は、後端に係止タブ２２と、係止タブ２２の前端から壁の長さの一部にわたって延在する第１の凹部２４と、を画定するように形状決めされる。容器１０は、ベース内に一対の対応する係止スロット２６を更に画定しており、この係止スロットに更なる容器１０の係止タブ２２を挿入して、スタック内で容器を上下に取り付けることができる。係止タブ２２はそれぞれ、ネック部分２２ａ及び本体部分２２ｂを備える。各タブの本体部分２２ｂは、対応するネック部分２２ａよりも広く、その結果、本体部分２２ｂはネック部分に張り出して、後方に開口する対応するアンダーカット領域２２ｃをもたらす。本体部分２２ｂ及びアンダーカット領域２２ｃは更なる容器のベース１８と協働して、下記で説明するように容器１０を上記の更なる容器と着脱自在に連結させる。
【００３２】
容器１０は、図２及び図３に示すように、スタック内の２つ以上のかかる容器１０が上下に着脱自在に取り付けられ得るモジュール式展示装置の一部を形成するように構成される。スタックを形成する際、スタック内の各隣接する対の容器は、対の下の容器の係止タブ２２が上の容器の係止スロット２６に挿入された状態で一体に連結される。各側壁１６は、折り目線によって側壁の上縁部１７に沿って相互連結される内壁パネル１６ａ及び外壁パネル１６ｂを有する。第２の凹部３０は、対応する係止スロット２６に隣接して内壁パネル１６ａの下縁部内に画定される。第２の凹部３０は、係止タブが係止スロット２６を通して挿入されると対応する係止タブ２２の少なくとも本体部分２２ｂを受容するように寸法決めされる。したがって、係止タブ２２は、側壁の内側パネル１６ａの内面間に画定された製品を保持するための容積を侵害しないように、側壁１６内に引っ込む。
【００３３】
係止スロット２６は、係止タブ２２から前方にオフセットされて配置され、その結果、一方の容器１０がもう一方に取り付けられると、上の容器の前壁１２が、下の容器１０の前壁１２から後方へとオフセットされる。これにより、下の容器の内部容積にアクセス可能な千鳥状の展示が形成され、消費者は下の容器１０の内容物を目視して取り出すことができる。
【００３４】
側壁１６の上縁部の第１の凹部２４は、図２に示すように第１の容器１０が第２の容器１０’の上部に取り付けられると、第１の容器のベース１８の部分１８ａが第１の凹部内に受容されるように配置される。第１の凹部２４は、係止スロット２６の前縁部から容器１０の前壁１２までの距離よりもわずかに長い。第１の凹部２４の長さは、第１の容器１０を第２の容器１０’に取り付ける間、係止タブの少なくとも本体部分２２ｂ’が第１の容器のベース１８の上方になるまで第２の容器の係止タブ２２’が第１の容器１０の係止スロット２６を通して挿入され、第１の容器１０が第２の容器１０’に対して前方に摺動して、その結果、係止スロット２６の後方端における第１の容器のベース１８がアンダーカット２２ｃに侵入し、第１の容器の前壁１２が側壁の面３２と当接して、第２の容器１０’内に第１の凹部２４の前縁部を画定するように選択される。この構成によって容器１０、１０’はしっかりと連結され、また、容器を傾斜させて、ベースを水平軸に対して任意の角度（０度〜９０度）にすることができる。更に、第１の容器１０は、第２の容器１０’に対して後方にオフセットされており、その結果、示されるような段積み構成であるときでも、両方の容器１０、１０’の内部にアクセスすることが可能となる。
【００３５】
図３は、本発明に従い容器１０ａ、１０ｂ、１０ｃから形成されたモジュール式展示装置３４の斜視図である。示されるように、展示装置３４は、一方が他方の上部に積み重ねられた３つの個別の容器、すなわち第１の容器１０ａ、第２の容器１０ｂ、及び第３の容器１０ｃから形成される。具体的には、第２の容器１０ｂは第１の容器１０ａの上部に積み重ねられてスタック内の第１の隣接する一対の容器を形成し、第３の容器１０ｃは第２の容器１０ｂの上部に積み重ねられてスタック内の第２の隣接する一対の容器を形成する。スタック内の各隣接する対の容器（１０ａと１０ｂ、１０ｂと１０ｃ）は、図２に示され、かつ上記で説明された第１及び第２の容器１０、１０’と同様に、互いに着脱自在に取り付けられる。
【００３６】
図３に示す展示装置３４はまた、第１の最下段の容器１０ａが取り付けられるスタンド又はベース６０と、第３の最上段の容器１０ｃにしっかりと連結されるヘッダ４０とを含む。スタンド６０に取り付けられると、容器１０ａ、１０ｂ、１０ｃはスタンド６０が配置される水平面に対して角度をなす。ヘッダ４０は最上段の容器、すなわち図示される実施形態では第３の容器１０ｃに連結され、広告文句、ロゴ、商標、価格などの、展示部９０に収容される物品についての表示を含むことのできる展示面４２を備える。
【００３７】
図４及び図５は、ヘッダ４０及びスタンド６０の構造を示す。
【００３８】
図４に示すように、ヘッダ４０は、対向する側壁４４ａ、４４ｂ、及び前部の固定フラップ４６と一体的に形成された平面状の展示面４２を含む。図示の実施形態では、固定フラップ４６は、折り畳みを補助するためにその長さに沿って一連のミシン目５０を含む展示面４２の縁部４８に沿って連結される。側壁４４ａ、４４ｂの端部は、展示面の縁部４８を越えて延在して固定タブ５２ａ、５２ｂを形成する。固定フラップ４６及び固定タブ５２ａ、５２ｂは、ヘッダ４０を展示装置３４内の容器１０ｃにしっかりと連結させるために用いられる。具体的には、図示した実施形態では、固定フラップ４６は、展示装置３４における最上段の容器１０ｃの後壁１４を覆うように位置決めされ、固定タブ５２ａ、５２ｂは、容器の対応する側壁１６の内側壁パネルと外側壁パネルとの間１６ａ、１６ｂに挿入される。
【００３９】
図５に示すように、スタンド６０は後壁６２を含み、後壁６２はその前方に突出する対向する側壁６４と一体に形成される。後壁及び側壁６２、６４の下縁部６６は同一平面上にある。側壁の上縁部６８は、側壁６４が先細になるように、後壁６２から前端までの方向へと下方に傾斜している。係止タブ７０は、各側壁６４の上面６８から突出している。係止タブ７０は、容器１０上のタブ２２と同様に構成され、広い本体部分７０ｂと狭いネック部分７０ａとを有して、側壁６４の上面６８の近位で後方に開口する後方に向けられたアンダーカット７０ｃを画定する。スタンド６０上の係止タブ７０は、容器１０をスタンド６０にしっかりと連結させるために使用される。具体的には、図３の図示される実施形態では、タブ７０がスタック内の最下段の容器１０ａの係止スロット２６を通して挿入され、容器１０ａが、容器１０ａのベース１８がアンダーカット７０ｃに係合して容器をスタンド６０に係止するように前方に摺動される。この位置にあるとき、容器１０ａのベース１８は、側壁６４の傾斜した上面６８、及びスタンド６０の後壁６２の上面上に置かれ、図３に示すように水平軸に対して角度をなす。
【００４０】
スタンド６０は、小売展示スタンドを形成するために小売カウンターなどの水平面上で容器１０ａ、１０ｂ、１０ｃのスタックを支持するために用いられ、ここで容器は、側壁６４の上面６８の傾斜角度によって決定される角度でカウンターの表面に対して傾斜している。典型的には、傾斜角度はこの領域内では４５度になるが、任意の特定の用途に合わせるために変えることができる。例えば、傾斜角度は、典型的には３０〜６０度の範囲であってよい。モジュール式システムでは、小売業者がモジュール式展示装置を組み立てる際に最も適切なスタンド６０を選択することができるように、その上面が異なる角度で傾斜した側壁を有する様々なスタンド６０を提供することができる。スタンド６０は、容器１０の側壁１６と同じ距離で離間したスタンドの側壁６４及び容器の後壁１４と一列に並んだスタンドの後壁６２によって容器のスタックを安定的に支持するように寸法決めされる。
【００４１】
本発明によるモジュール式展示装置３４は、通常はスタック状に配列された少なくとも２つの容器１０を備えることが期待されているが、展示装置３４は、スタンド６０に取り付けられた１つのみの容器１０を用いて、任意で同じ容器１０に取り付けられたヘッダ４０を備えて形成されてもよい。
【００４２】
容器１０、ヘッダ、及びスタンド６０は、全てボール紙又はカートン用板紙などの折り畳み可能な材料のブランクから形成される。少なくとも材料の外面は、展示に好適な図形を担持するために印刷されてもよい。
【００４３】
図６は、先出の図に示される本発明の容器１０の実施形態を構築するのに用いられるブランク１１０を示す。ブランク１１０は、ベースパネル１１８と、ベースパネル１１８の対向する側縁部の第１のセットに沿った対応する折り目線２１５、２１７を介して連結された、一対の対向する側壁部１１６と、を備える。
【００４４】
側壁部１１６は実質的に互いの鏡像であり、それぞれ内側壁パネル１１６ａ及び外側壁パネル１１６ｂからなる。内側壁パネル１１６ａ及び外側壁パネル１１６ｂは、互いに平行に通る内折り目線２１６ａ、２１６ｂを介して連結され、また、折り畳まれると、パネル１１６ａ、１１６ｂが互いに隣接して位置決めされるが、材料の厚さとほぼ等しい、内折り目線２１６ａと内折り目線２１６ｂとの間の距離と同寸法の間隙によって分離されるように構成される。各側壁部１１６は、更に、パネル１１６ａ、１１６ｂの両方の一部分に及ぶ切り欠き領域又は開口部１３２をその内部に備える。切り欠き領域１３２は、ブランクが折り畳まれて容器を形成すると、容器１０の対応する側壁１６の上縁部に第１の凹部２４を画定する。更に、パネル１１６ａ、１１６ｂは、完成した容器の側壁１６の後方縁部で係止タブ２２を画定するように形状決めされる。このため、各パネル１１６ａ、１１６ｂは、ブランク１１０から構築されたときに一体で容器１０の係止タブ２２のアンダーカット領域２２ｃを形成するノッチ１２２ｃを後縁部に沿って含む。内側パネル１１６ａは、ブランクが折り畳まれて容器１０を形成すると、更なる容器１０又はスタンド６０の係止タブ２２、７０を受容するための第２の凹部３０を形成する、更なる切り欠き領域１３６を画定する。更に、内側壁パネル１１６ａは、切り欠き領域１３６のいずれかの側でパネル１１６ｂの外縁部に沿って位置決めされる一対の固定タブ１３７ａ、１３７ｂを含む。
【００４５】
ベースパネル１１８は、第１及び第２の側壁部１１６の外側壁パネル１１６ｂの対応する折り目線２１５、２１７に隣接して位置決めされた一対の対向する係止スロット開口部１２６を備える。係止スロット開口部１２６は、容器のベース１８内に対応する係止スロット２６を形成する。更なる開口部１３８ａ、１３８ｂもまたベースパネル１１８のいずれかの側に（１３８ａは係止スロット開口部１２６の後方に、１３８ｂは係止スロット開口部１２６の前方に）画定され、ブランクが折り畳まれて容器を形成すると、対応する固定タブ１３７ａ、１３７ｂを受容して、内側壁パネル１１６ａを所定の位置で保持する。
【００４６】
ブランク１１０は、ベースパネル１１８の対向する端縁部の第２のセットに沿った対応する折り目線２１１、２１３を介して連結された前壁パネル１１２及び後壁パネル１１４を含む。一対の第１の固定フラップ１１３ａ、１１３ｂは、前壁パネル１１２の対向する側縁部に沿った対応する折り目線２１２ａ、２１２ｂを介して連結される。第１の固定フラップ１１３ａ、１１３ｂは、ブランクが折り畳まれて容器を形成すると、これらの受容側で内側壁パネル１１６ａと外側壁パネル１１６ｂとの間に位置する。同様に、ブランクが折り畳まれて容器を形成すると、一対の第２の固定フラップ１１５ａ、１１５ｂも、後壁パネル１１４の対向する側縁部に沿った対応する折り目線２１４ａ、２１４ｂを介して連結され、第２の固定フラップ１１５ａ、１１５ｂもまた、これらの受容側で内側壁パネル１１６ａと外側壁パネル１１６ｂとの間に受容される。第２の固定フラップ１１５ａ、１１５ｂのそれぞれの後縁部は、内側壁パネル１１６ａ及び外側壁パネル１１６ｂの形状決めされた後縁部と位置合わせして完成した容器において係止タブ２２を画定する係止タブ部分１２２を画定するように形状決めされる。
【００４７】
ブランク１１０から容器１０を形成するために、最初に、ブランク１１０を折り目線２１１、２１３に沿って折り畳んで前壁パネル１１２及び後壁パネル１１４をベースパネル１１８に対して垂直にする。続いて、ブランク１１０を、折り目線２１２ａ、２１２ｂに沿って折り畳んで第１の固定フラップ１１３ａ、１１３ｂを前壁パネル１１２に対して垂直にし、また、折り目線２１４ａ、２１４ｂに沿って折り畳んで突出する第２の固定フラップ１１５ａ、１１５ｂを後壁パネル１１４に対して垂直にする。パネル１１２、１１４及び固定フラップ１１３ａ、１１３ｂ、１１５ａ、１１５ｂが所定の位置に置かれたら、続いて、ブランク１１０を折り目線２１５、２１７に沿って折り畳んで第２の側壁部１１６をベースパネル１１８に対して垂直にする。
【００４８】
側壁部１１６のそれぞれを、これらの内折り目線２１６ａ、２１６ｂに沿って折り畳んで内側壁パネル１１６ａを所定の位置に置くと、内側壁パネル１１６ａは外側壁パネル１１６ｂと重なり合い、対応する第１及び第２の固定フラップは、内側壁パネル１１６ａと外側壁パネル１１６ｂとの間に位置する。内側壁パネル１１６ａは、固定タブ１３７ａ、１３７ｂをベースパネル１１８内の対応する更なる開口部１３８ａ、１３８ｂ内に位置決めすることにより所定の位置に固定される。
【００４９】
図７は、本発明の展示装置の実施形態で使用するためのスタンド６０を構築するためのブランク１６０を示す。ブランク１６０は、後壁パネル１６２と、後壁パネル１６２の対向する側縁部に沿った対応する折り目線２６２ａ、２６２ｂを介して連結された、一対の側壁部１６４と、を備える。
【００５０】
側壁部は、互いの鏡像である。各側壁部１６４は、第１の側壁パネル１６４ａと第２の側壁パネル１６４ｂとを備え、各側壁パネルは、実質的にもう一方の鏡像となっている。第１の側壁パネル１６４ａ及び第２の側壁パネル１６４ｂは、互いに平行して通る内折り目線２６４ａ、２６４ｂを介して連結され、また、折り畳まれると、パネル１６４ａ、１６４ｂが互いに隣接して位置決めされるように構成される。各側壁パネル１６４ａ、１６４ｂはまた、それから延在する係止タブ部分１７０を含む。係止タブ部分１７０は、完成したスタンド６０内に容器の係止タブ２２と形状が類似する係止タブ７０を画定するように形状決めされ、また、タブ部分の本体と対応する側壁パネル１６４ａ、１６４ｂの上縁部１６８との間にアンダーカット領域１７０ｃを含む。側壁パネル１６４ａ、１６ｂは、スタンドにテーパ状の側壁を形成するような三角形状である。
【００５１】
ブランク１６０からスタンド６０を形成するために、ブランク１６０を折り目線２６４ａ、２６４ｂに沿って折り畳んで第１の側壁パネル１６４ａ及び第２の側壁パネル１６４ｂをいずれかの側面（either  side）と一体にすると、係止タブ部分１７０が位置合わせされて側壁６４を画定する。パネル１６４ａ、１６４ｂは、例えば接着剤などを用いて互いにしっかりと締結して、第１及び第２の側壁部１６４をこの構成に維持することができる。更に、スタンドの側壁６４が後壁６６から前方に突出するように、ブランクを折り目線２６２ａ、２６２ｂに沿って折り畳む。一旦容器１０がスタンドに取り付けられたら、スタンド６０の側壁６４は後壁６２に対して所定の位置に保持されるため、前壁は必要でない。これにより、スタンド６０の側壁６４はこれらの前縁部で非常に狭いテーパ状となり、その結果、容器１０がスタンドに取り付けられると、スタンド６０は展示部の前面からは見えなくなり、また、容器はスタンド６０が位置決めされる面の間近に置かれる。
【００５２】
図８は、本発明の展示部の実施形態で使用するためのヘッダ４０を構築するためのブランク１４０を示している。ブランク１４０は、平面状の展示面パネル１４２と、第１の側壁パネル１４４ａと、第２の側壁パネル１４４ｂと、固定フラップ部材１４６と、を備える。第１の側壁パネル１４４ａと第２の側壁パネル１４４ｂとは、上面パネル１４２の対向する縁部に沿った対応する折り目線２４２ａ、２４２ｂを介して連結される。固定フラップ部材１４６は、上面パネル１４２の更なる縁部に沿った折り目線１４８を介して連結される。第１の側壁パネル１４４ａ及び第２の側壁パネル１４４ｂは、それらの端部に対応する固定タブ部材１５２ａ、１５２ｂを備える。固定タブ部材１５２ａ、１５２ｂは、使用時に、ヘッダ４０を容器１０に固定するためにヘッダ４０の固定タブ５２ａ、５２ｂを形成する。ブランク１４０からヘッダ４０を形成するためには、ブランク１４０を折り目線２４２ａ、２４２ｂ、及び１４８に沿って折り畳んで、第１及び第２の側壁パネル１４４ａ、１４４ｂ、及び固定フラップ部材１４６を上面パネル１４２に対して略垂直となる位置に置く。
【００５３】
モジュール式展示装置３４は、スタック状に配置された任意の数の容器１０を用いて、又はスタンド６０に取り付けられた単一の容器を用いてさえ形成することができる。モジュール式展示装置３４の構成要素は、小売店において組み立てるための平坦なブランクとして提供し、構築後は製品を容器１０に積み込むことができる。あるいは、容器１０は予め製品を詰めて小売業者に供給して、小売業者がこれをスタンド６０、及び任意でヘッダ４０と共に展示装置３４へと組み立ててもよい。容器１０が予め詰められる場合、容器１０は取外し可能な蓋部、又は輸送中に製品を容器内に保持するためのその他の閉鎖手段を備えてもよい。別個のスタンド６０を使用して容器１０を傾斜させることは、容器１０が保管及び輸送中の段積みに有用な標準的立法形状を画定するように、容器の壁１２、１４、１６の上面がベース１８と平行に位置合わせされ得ることを意味することが留意されよう。更に、係止タブ２２は容器の側壁１６内に画定され、側壁の上縁部を越えては突出しないため、輸送及び保管中に損傷を受け難いことが留意されよう。更に、内側壁パネル１１６ａ及び外側壁パネル１１６ｂの両方を用いて係止タブ２２を形成し、かつ第２の固定フラップ１１５ａ、１１５ｂの係止タブ部分１１２によって更に支持されることは、各係止タブが材料の３つの厚さから製造されて付加的な強度を得ることを意味する。
【００５４】
上記の実施形態は、ほんの一例として記載される。添付の特許請求の範囲に定義される本発明の範囲から逸脱することなく、多くの変更が可能である。
【図１】
2019526508.tif 000003
【図２】
2019526508.tif 000004
【図３】
2019526508.tif 000005
【図４】
2019526508.tif 000006
【図５】
2019526508.tif 000007
【図６】
2019526508.tif 000008
【図７】
2019526508.tif 000009
【図８】
2019526508.tif 000010
【国際調査報告】
2019526508.tif 000011
2019526508.tif 000012